(57)【特許請求の範囲】
【請求項１】
第１インク、当該第１インクとは異なる色の第２インクおよび処理液それぞれを付与するための各ノズル列を主走査させながら前記各ノズル列から第１インク、第２インクおよび処理液を記録媒体上に付与して記録を行うインクジェット記録方法であって、
第１インク付与データに基づいて前記第１インクを付与し、第２インク付与データに基づいて前記第２インクを付与し、前記第２インク付与データに基づいて前記処理液を付与して、前記記録媒体上に画像を記録する記録工程を有し、
前記記録工程では、前記第１インクおよび前記処理液を、前記第２インクよりも先行して付与することを特徴とするインクジェット記録方法。
【請求項２】
処理液用に割り当てられた第１のノズル列と、処理液の付与対象でない第１インク用に割り当てられた第２のノズル列と、前記第１インクとは異なる色を有し且つ処理液の付与対象である第２インク用に割り当てられた第３のノズル列を主走査させながら前記各ノズル列からそれぞれ第１インク、第２インク、処理液を記録媒体上に付与して記録を行うインクジェット記録方法であって、
往路および復路方向への前記主走査の際に、前記第１のノズル列、前記第２のノズル列および前記第３のノズル列を用いて前記記録媒体にバンド単位の記録を行うに際し、前記第２および第３のノズル列からそれぞれ前記第１インクおよび第２インクを付与するとともに、前記第３のノズル列により記録が行われる記録領域に対しては前記第１のノズル列から処理液を付与して記録を行う記録工程と、
前記往路方向への主走査と前記復路方向への主走査の間に、前記主走査の方向と直交する副走査方向へ前記バンド単位の幅だけ前記記録媒体を移動する移動工程とを有し、
前記記録工程では、同一のバンドに対して、前記第３のノズル列による前記第２インクの付与よりも前記第１および第２のノズルによる前記処理液および前記第１インクの付与を先行して行うことを特徴とするインクジェット記録方法。
【請求項３】
処理液用に割り当てられた第１のノズル列と、処理液の付与対象でない第１インク用に割り当てられた第２のノズル列と、前記第１インクとは異なる色を有し且つ処理液の付与対象である第２インク用に割り当てられた第３のノズル列を主走査させながら前記各ノズル列からそれぞれ第１インク、第２インク、処理液を記録媒体上に付与して記録を行うインクジェット記録方法であって、
往路および復路方向への前記主走査の際に、前記第１のノズル列、前記第２のノズル列および前記第３のノズル列を用いて前記記録媒体にバンド単位の記録を行うに際し、前記第２および第３のノズル列からそれぞれ前記第１インクおよび第２インクを付与するとともに、前記第３のノズル列により記録が行われる記録領域に対しては前記第１のノズル列から処理液を付与して記録を行う記録工程と、
前記往路方向への主走査と前記復路方向への主走査の間に、前記主走査の方向と直交する副走査方向へ前記バンド単位の幅だけ前記記録媒体を移動する移動工程とを有し、
前記記録工程では、同一の前記主走査において、前記第１および第２のノズル列による記録を先行するバンドへ行うと共に、前記第３のノズル列による記録を後続のバンドへ行うことにより、同一のバンドに対して前記第３のノズル列による記録よりも前記第１および第２のノズルによる記録を先行して行うことを特徴とするインクジェット記録方法。
【請求項４】
前記処理液は、記録画像の耐水性を向上させるものであることを特徴とする請求項１ないし３のいずれかに記載のインクジェット記録方法。
【請求項５】
前記処理液は、記録画像の異なる色間の境界にじみを低減させるものであることを特徴とする請求項１ないし３のいずれかに記載のインクジェット記録方法。
【請求項６】
前記処理液は、記録画像のプリント品位を向上させるものであることを特徴とする請求項１に記載のインクジェット記録方法。
【請求項７】
前記処理液が、少なくとも１種のカチオン性物質を含むことを特徴とする請求項１ないし３のいずれかに記載のインクジェット記録方法。
【請求項８】
前記処理液が低分子カチオン性界面活性剤とポリアリルアミンとを含むことを特徴とする請求項７に記載のインクジェット記録方法。
【請求項９】
前記第１インクが、可溶化基としてカルボキシル基を持つ染料を色材として含有することを特徴とする請求項１ないし８のいずれかに記載のインクジェット記録方法。
【請求項１０】
前記カルボキシル基を持つ染料が、ｐＨに対して溶解度の依存性を示すことを特徴とする請求項９に記載のインクジェット記録方法。
【請求項１１】
前記第１インクが、色材として油溶性染料を含有することを特徴とする請求項１ないし８のいずれかに記載のインクジェット記録方法。
【請求項１２】
前記第１インクが、色材としてカチオン性染料を含有することを特徴とする請求項１ないし８のいずれかに記載のインクジェット記録方法。
【請求項１３】
前記第１インクが、色材として顔料を含有することを特徴とする請求項１ないし８のいずれかに記載のインクジェット記録方法。
【請求項１４】
インクジェット記録装置であって、
処理液を吐出する第１の吐出部と、
前記処理液の付与対象でない第１インクを吐出する第２の吐出部と、
前記第１インクとは異なる色を有し且つ前記処理液の付与対象である第２インクを吐出する第３の吐出部と、
前記第１，第２および第３の吐出部を搭載するためのキャリッジと、
前記キャリッジを往方向および復方向への主走査させる主走査手段と、
前記主走査手段による前記往方向および復方向への主走査の際に、前記第１、第２および第３の吐出部からの前記処理液、前記第１インク、前記第２インクを吐出して前記記録媒体にバンド単位の記録を行うにあたり、前記第２および第３の吐出部からそれぞれ前記第１および第２のインクを吐出するとともに、前記第３の吐出部により記録が行われる記録領域に対しては前記第１の吐出部から処理液を吐出して記録を行うように制御する制御手段と、
前記主走査手段による前記往方向への主走査と前記復方向への主走査の間に、前記主走査の方向と直交する副走査方向へ前記バンド単位の幅だけ前記記録媒体を移動する移動手段とを備え、
前記キャリッジ上の前記第１および第２の吐出部は前記副走査方向において前記第３の吐出部よりも１バンド分先行する側に配設されており、
前記制御手段は、前記主走査手段による同一の主走査において、前記第１および第２の吐出部による記録を先行するバンドへ行うと共に、前記第３の吐出部による記録を後続のバンドへ行うように制御することを特徴とするインクジェット記録装置。
【発明の詳細な説明】
【０００１】
【産業上の利用分野】
本発明は、被記録材上に高速に高品位の画像を得ることができるインクジェット記録方法および記録装置に関する。なお、ここで、記録とは、布、糸、革、不織布、紙、ＯＨＣ紙、シート材等、さらには金属等の被プリント媒体全てへのインク付与等（プリント）を含むもので、記録装置は各種情報処理装置全てあるいはその出力器を含む機器すべてに適用可能である。具体的な適用機器としては、プリンタ、複写機、ファクシミリ等の事務機器や工業用生産機器等を挙げることができる。
【０００２】
【従来の技術】
従来、インクジェット記録方法は、低騒音、低ランニングコスト、装置が小型化し易い、カラー化が容易、等からプリンタや複写機等に利用されている。
【０００３】
しかしながら、インクジェット記録方法を応用したこれらの記録装置により、所謂普通紙と呼ばれる被記録材上に画像を得る場合、画像の耐水性が不十分であったり、また、カラー画像を得る場合には、フェザリングの生じない高濃度の画像と色間のにじみの生じない画像とを両立させることができず、良好な画像堅牢性でかつ良好な品位のカラー画像が得られていなかった。
【０００４】
画像の耐水性を向上させる方法としてインク中に含まれる色材に耐水性を持たせたインクも近年では実用化されてきている。しかしながらその耐水性はまだまだ不十分であるとともに、原理的に乾燥後、水に溶解しにくいインクであるために、記録ヘッドのノズル詰まりが生じやすく、これを防止するために装置構成が複雑になってしまう欠点があった。
【０００５】
また、従来より被記録物の堅牢性を向上させる技術が多数開示されている。特開昭５３−２４４８６号では染色物の湿潤堅牢度を増進させるために、染色物を後処理することで染料をレーキ化し固着させる技術が開示されている。
【０００６】
特開昭５４−４３７３３号ではインクジェット記録方式を用いて、相互に接触すると常温または加熱時に被膜形成濃が増大する２以上の成分を用いて記録する方法が開示されており、被記録媒体上で各成分が接触することで強固に密着した被膜を形成した印刷物を得ている。
【０００７】
特開昭５５−１５０３９６号でも水性染料インクをインクジェット記録後に、染料とレーキを形成する耐水化剤を付与する方法が開示されている。
【０００８】
特開昭５８−１２８８６２号では記録すべき画像位置を予め識別し、記録インクと処理インクとを重ねて記録するインクジェット記録方法が開示されており、記録インクに先立って処理インクで描いたり、先に描かれた記録インク上に処理インクを重ねたり、先に描かれた処理インク上に記録インクを重ね、さらに処理インクを重ねて描いたりする方法が開示されている。
【０００９】
さらに特開昭６３−６０７８３号、特開昭６４−６９３８１号等にも同様の記録方法が開示されている。
【００１０】
しかしながらこれらは、インクジェット記録装置に特有であるヘッド構成、特に記録画像の印字速度向上のための印字モード等については開示されていない。
【００１１】
具体的には、処理インクの付与をどのように行えば、記録動作時の往路、帰路ともに前処理になるようになるか、については述べられていない。
【００１２】
【発明が解決しようとする課題】
そこで、本発明の目的は、被記録材上に高速印字が可能であり、印字品位、耐水性、色境界にじみに優れた画像を与えるインクジェット記録方法および装置を提供することにある。
【００１３】
【課題を解決するための手段】
上記目的を達成するために、本発明は、第１インク、当該第１インクとは異なる色の第２インクおよび処理液それぞれを付与するための各ノズル列を主走査させながら前記各ノズル列から第１インク、第２インクおよび処理液を記録媒体上に付与して記録を行うインクジェット記録方法であって、第１インク付与データに基づいて前記第１インクを付与し、第２インク付与データに基づいて前記第２インクを付与し、前記第２インク付与データに基づいて前記処理液を付与して、前記記録媒体上に画像を記録する記録工程を有し、前記記録工程では、前記第１インクおよび前記処理液を、前記第２インクよりも先行して付与することを特徴とする。
【００１４】
また、処理液用に割り当てられた第１のノズル列と、処理液の付与対象でない第１インク用に割り当てられた第２のノズル列と、前記第１インクとは異なる色を有し且つ処理液の付与対象である第２インク用に割り当てられた第３のノズル列を主走査させながら前記各ノズル列からそれぞれ第１インク、第２インク、処理液を記録媒体上に付与して記録を行うインクジェット記録方法であって、往路および復路方向への前記主走査の際に、前記第１のノズル列、前記第２のノズル列および前記第３のノズル列を用いて前記記録媒体にバンド単位の記録を行うに際し、前記第２および第３のノズル列からそれぞれ前記第１インクおよび第２インクを付与するとともに、前記第３のノズル列により記録が行われる記録領域に対しては前記第１のノズル列から処理液を付与して記録を行う記録工程と、前記往路方向への主走査と前記復路方向への主走査の間に、前記主走査の方向と直交する副走査方向へ前記バンド単位の幅だけ前記記録媒体を移動する移動工程とを有し、前記記録工程では、同一のバンドに対して、前記第３のノズル列による前記第２インクの付与よりも前記第１および第２のノズルによる前記処理液および前記第１インクの付与を先行して行うことを特徴とする。
【００１５】
さらに、処理液用に割り当てられた第１のノズル列と、処理液の付与対象でない第１インク用に割り当てられた第２のノズル列と、前記第１インクとは異なる色を有し且つ処理液の付与対象である第２インク用に割り当てられた第３のノズル列を主走査させながら前記各ノズル列からそれぞれ第１インク、第２インク、処理液を記録媒体上に付与して記録を行うインクジェット記録方法であって、往路および復路方向への前記主走査の際に、前記第１のノズル列、前記第２のノズル列および前記第３のノズル列を用いて前記記録媒体にバンド単位の記録を行うに際し、前記第２および第３のノズル列からそれぞれ前記第１インクおよび第２インクを付与するとともに、前記第３のノズル列により記録が行われる記録領域に対しては前記第１のノズル列から処理液を付与して記録を行う記録工程と、前記往路方向への主走査と前記復路方向への主走査の間に、前記主走査の方向と直交する副走査方向へ前記バンド単位の幅だけ前記記録媒体を移動する移動工程とを有し、前記記録工程では、同一の前記主走査において、前記第１および第２のノズル列による記録を先行するバンドへ行うと共に、前記第３のノズル列による記録を後続のバンドへ行うことにより、同一のバンドに対して前記第３のノズル列による記録よりも前記第１および第２のノズルによる記録を先行して行うことを特徴とする。
【００１６】
さらに、インクジェット記録装置であって、処理液を吐出する第１の吐出部と、前記処理液の付与対象でない第１インクを吐出する第２の吐出部と、前記第１インクとは異なる色を有し且つ前記処理液の付与対象である第２インクを吐出する第３の吐出部と、前記第１，第２および第３の吐出部を搭載するためのキャリッジと、前記キャリッジを往方向および復方向への主走査させる主走査手段と、前記主走査手段による前記往方向および復方向への主走査の際に、前記第１、第２および第３の吐出部からの前記処理液、前記第１インク、前記第２インクを吐出して前記記録媒体にバンド単位の記録を行うにあたり、前記第２および第３の吐出部からそれぞれ前記第１および第２のインクを吐出するとともに、前記第３の吐出部により記録が行われる記録領域に対しては前記第１の吐出部から処理液を吐出して記録を行うように制御する制御手段と、前記主走査手段による前記往方向への主走査と前記復方向への主走査の間に、前記主走査の方向と直交する副走査方向へ前記バンド単位の幅だけ前記記録媒体を移動する移動手段とを備え、前記キャリッジ上の前記第１および第２の吐出部は前記副走査方向において前記第３の吐出部よりも１バンド分先行する側に配設されており、前記制御手段は、前記主走査手段による同一の主走査において、前記第１および第２の吐出部による記録を先行するバンドへ行うと共に、前記第３の吐出部による記録を後続のバンドへ行うように制御することを特徴とする。
【００４２】
【作用】
ここで、吐出部とは同一のヘッドの一部でも、また、異なるヘッドでもよい。
【００４３】
本発明によれば、処理液記録部を、処理液を付与する色を記録するインクのノズルに先行して記録すると、プリント速度が速く、耐水性、発色性に優れ、色間にじみのない画像を得ることが可能となる。
【００４４】
（好ましい実施形態）
本発明で使用する処理液について説明する。
【００４５】
処理液は、
１．記録画像の耐水性を向上させる
２．記録画像の印字品位を向上させる
さらに、カラー記録においては、
３．記録画像の異なる色間の異色境界にじみを低減させる
機能を持つものであれば制限はないが、少なくとも１種のカチオン性物質が処理液に含有されていると、上記効果を発揮させることが可能になる。
【００４６】
カチオン性物質は、分子中にカチオン性基を持つものであれば、特に制限はないが、カチオン性の界面活性剤や、カチオン性のオリゴマー、ポリマー等が好ましい。
【００４７】
まず、カチオン性界面活性剤について、好適な具体的化合物を挙げると、１級ないし２級ないし３級アミンの塩の化合物、具体的にはラウリルアミン、ヤシアミン、ステアリルアミン、ロジンアミン等の塩酸塩；第４級アンモニウム型の化合物、具体的には、セチルトリメチルアンモニウムクロライド、ラウリルトリメチルアンモニオウムクロライド、ラウリルジメチルベンジルアンモニウムクロライド、ベンジルトリブチルアンモニウムクロライド、塩化ベンザルコニウム等；あるＰＨ領域においてカチオン性を示す両性界面活性剤、具体的にはアミノ酸型両性界面活性剤、ベタイン型化合物等を等電点以下に調整したものが挙げられるが、もちろんこれらに限定されるものではない。
【００４８】
そして、これらの化合物の中でも特に第４級アンモニウム型化合物が好適である。
【００４９】
次に、カチオン性のオリゴマー、ポリマーについて、具体的なモノマーユニットとしては、ビニルアミン、アリルアミン、ビニルピリジン、ビニルイミダゾール、Ｎ，Ｎ−ジメチルアミノアクリルアミド、エチレンイミン、２−オキサゾリン等が挙げられるが、もちろんこれらに限定されるものではない。
【００５０】
また、前述のようなカチオン性のモノマーユニットの単独重合体だけでなく、非イオン性モノマーユニットとの共重合体、非イオン性オリゴマー、ポリマーの一部を高分子化したものでも問題ない。
【００５１】
そして、これらの化合物の中でも特にアリルアミンをユニットとしたオリゴマー、ポリマーが好適である。
【００５２】
さらに、低分子カチオン性界面活性剤とポリアリルアミンとを併用すると、カラー記録時に異色境界にじみを低減することができるため、以上述べた中でも、特にカラー記録時において好適な組み合わせである。
【００５３】
次に、本発明で使用されるその他の構成成分について述べる。
【００５４】
本発明における処理液を付与する、色を記録するインクの色材は水溶性染料を使用する。水溶性染料については可溶化基としてアニオン性基を有するものを用いる。本発明で使用されるインクには、さらにこれに水、水溶性有機溶媒、およびその他の成分、例えば粘度調整剤、ＰＨ調整剤、防かび剤、中性，アニオン性の界面活性剤、酸化防止剤等が必要に応じて含まれる。
【００５５】
本発明において、処理液を付与する、色を記録するインクの色はブラック、シアン、マゼンタ、イエローであり、色材としてはアニオン性の水溶性染料が挙げられる。
【００５６】
本発明で使用されるアニオン性基を有する水溶性染料としては、カラーインデックス（ＣＯＬＯＵＲ  ＩＮＤＥＸ）に記載されている水溶性の酸性染料、直接染料、反応性染料であれば特に限定はない。また、カラーインデックスに記載のない染料であっても、アニオン性基、例えばスルホン基を有するものであれば特に制限はない。これらの染料はインク中に１〜１０重量％、好ましくは１〜５重量％の範囲で用いる。
【００５７】
具体的な染料を挙げると、Ｃ．Ｉ．ダイレクトイエロー  ８，１１，１２，２７，２８，３３，３９，４４，５０，５８，８５，８６，８７，８８，８９，９８，１００，１１０
Ｃ．Ｉ．ダイレクトレッド  ２，４，９，１１，２０，２３，２４，３１，３９，４６，６２，７５，７９，８０，８３，８９，９５，１９７，２０１，２１８，２２０，２２４，２２５，２２６，２２７，２２８，２３０
Ｃ．Ｉ．ダイレクトブルー  １，１５，２２，２５，４１，７６，７７，８０，８６，９０，９８，１０６，１０８，１２０，１５８，１６３，１６８，１９９，２２６
Ｃ．Ｉ．アシッドイエロー  １，３，７，１１，１７，２３，２５，２９，３６，３８，４０，４２，４４，７６，９８，９９
Ｃ．Ｉ．アシッドレッド  ６，８，９，１３，１４，１８，２６，２７，３２，３５，４２，５１，５２，８０，８３，８７，８９，９２，１０６，１１４，１１５，１３３，１３４，１４５，１５８，１９８，２４９，２６５，２８９
Ｃ．Ｉ．アシッドブルー  １，７，９，１５，２２，２３，２５，２９，４０，４３，５９，６２，７４，７８，８０，９０，１００，１０２，１０４，１１７，１２７，１３８，１５８，１６１
Ｃ．Ｉ．ダイレクトブラック  １７，１９，２２，３１，３２，５１，６２，７１，７４，１１２，１１３，１５４，１６８
Ｃ．Ｉ．アシッドブラック  ２，４８，５１，５２，１１０，１１５，１５６
Ｃ．Ｉ．リィアクティブブラック  １，８，１２，１３
Ｃ．Ｉ．フードブラック  １，２
等が挙げられる。
【００５８】
本発明における処理液を付与しない、色を記録するインクの色材としては
１．可溶化基として、カルボキシル基を持つ染料
これは、ｐＨに対して溶解度の依存性を示す染料が挙げられる。
【００５９】
２．油溶性染料
３．カチオン性染料
４．顔料
が好適である。
【００６０】
これらの色材を含むインクは、処理液を付与する水溶性アニオン性染料を含有するインクと接すると、境界部で析出する、互いに相溶しないなどの理由によって、境界にじみを生じないため、望ましいものである。
【００６１】
特に、上述の１．，２．，４．の色材は優れた耐水性を持つものが多く、特に望ましい。
【００６２】
カルボキシル基を持つ染料としては、例えば、以下に示す化合物１（化１）、化合物２（化２）、化合物３（化３）および化合物（化４）が挙げられるが、もちろん本発明はこれらの構造の染料に限定されるものはない。
【００６３】
化合物１
【００６４】
【化１】
0003683928.tif 000002
【００６５】
化合物２
【００６６】
【化２】
0003683928.tif 000003
【００６７】
化合物３
【００６８】
【化３】
0003683928.tif 000004
【００６９】
化合物４
【００７０】
【化４】
0003683928.tif 000005
【００７１】
油溶性染料としては、カラーインデックス（ＣＯＬＯＵＲ  ＩＮＤＥＸ）に記載されているものであれば特に限定はない。また、カラーインデックスに記載のない新規の染料であっても、特に制限はない。
【００７２】
具体的には、Ｃ．Ｉ．ソルベントブルー  ３３，３８，４２，４５，５３，６５，６７，７０，１０４，１１４，１１５，１３５、
Ｃ．Ｉ．ソルベントレッド  ２５，３１，８６，９２，９７，１１８，１３２，１６０，１８６，１８７，２１９、
Ｃ．Ｉ．ソルベントイエロー  １，４９，６２，７４，７９，８２，８３，８９，９０，１２０，１２１，１５１，１５３，１５４
等が挙げられる。
【００７３】
カチオン性染料としては、カラーインデックス（ＣＯＬＯＵＲ  ＩＮＤＥＸ）に記載されているものであれば特に限定はない。また、カラーインデックスに記載のない新規の染料であっても、特に制限はない。
【００７４】
具体的には、
Ｃ．Ｉ．ベーシックブラック  ２，８
Ａｉｚｅｎ  Ｃａｔｈｉｌｏｎ  Ｂｌａｃｋ  ＳＢＨ，ＢＸＨ，ＳＨ，ＡＣＨ，ＭＨ，ＴＨ（保土ケ谷化学製）
Ｓｕｍｉａｃｒｙｌ  Ｂｌａｃｋ  Ｂ，Ｒ，ＡＰ，ＢＰ，ＣＰ，ＦＦＰ（住友化学製）
Ｄｉａｃｒｙｌ  Ｓｕｐｒａ  Ｂｌａｃｋ  ＧＳＬ，ＲＳＬ，ＥＳＬ（三菱化成製）
Ｃ．Ｉ．ベーシックイエロー  １，１１，１３，１９，２５，３３，３６
Ｃ．Ｉ．ベーシックレッド  １，２，９，１２，１３，３８，３９，９２
Ｃ．Ｉ．ベーシックブルー  １，３，５，９，１９，２４，２５，２６，２８，４５，５４，６５，７５
等が挙げられる。
【００７５】
本発明で使用されるインクの色材として顔料を用いる場合には、顔料の量は、インク全重量に対して、重量比で１〜２０重量％、好ましくは２〜１２重量％の範囲で用いる。
【００７６】
本発明において使用される顔料としては、具体的には、黒色のインクに使用されるものとしてカーボンブラックが挙げられるが、例えば、ファーネス法、チャネル法で製造されたカーボンブラックであって、一次粒子径が１５〜４０μｍ、ＢＥＴ法による比表面積が５０〜３００ｍ2 ／ｇ、ＤＢＰ吸油量が４０〜１５０ｍｌ／１００ｇ、揮発分が０．５〜１０％、ｐＨ値が２〜９等の特性を有するものが好ましく用いられる。このような特性を有する市販品としては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ（以上、三菱化成製）、ＲＡＶＥＮ１２５５（以上、コロンビア製）、ＲＥＧＡＬ４００Ｒ、ＲＥＧＡＬ３３０Ｒ、ＲＥＧＡＬ６６０Ｒ、ＭＯＧＵＬ  Ｌ（以上、キャボット製）、Ｃｏｌｏｒ  Ｂｌａｃｋ  ＦＷ１、ＣＯＬＯＲ  Ｂｌａｃｋ  ＦＷ１８、Ｃｏｌｏｒ  Ｂｌａｃｋ  Ｓ１７０、Ｃｏｌｏｒ  Ｂｌａｃｋ  Ｓ１５０、Ｐｒｉｎｔｅｘ  ３５、Ｐｒｉｎｔｅｘ  Ｕ（以上、デグッサ製）等があり、いずれも好ましく使用することができる。
【００７７】
また、イエローのインクに使用される顔料としては、例えば、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ  ８３等が挙げられ、マゼンタのインクに使用される顔料としては、例えば、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．ＰｉｇｍｅｎｔＲｅｄ  １１２、Ｃ．Ｉ．Ｐｉｇｍｅｎｔ  Ｒｅｄ  １２２等が挙げられ、シアンのインクに使用される顔料としては、例えば、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．ＰｉｇｍｅｎｔＢｌｕｅ  ３、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １６、Ｃ．Ｉ．Ｐｉｇｍｅｎｔ  Ｂｌｕｅ  ２２、Ｃ．Ｉ．Ｖａｔ  Ｂｌｕｅ  ４、Ｃ．Ｉ．Ｖａｔ  Ｂｌｕｅ  ６等が挙げられるが、これらに限られるものではない。また、以上の他、本発明のために新たに製造された顔料も勿論使用することが可能である。
【００７８】
また、顔料を使用する場合にインク中に含有される分散剤としては、水溶性樹脂ならどのようなものでも使用することができるが、重量平均分子量が１，０００〜３０，０００の範囲のものが好ましく、さらに好ましくは、３，０００〜１５，０００の範囲ものが好ましく使用される。このような分散剤として、具体的には、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、およびその誘導体等から選ばれた少なくとも２つ以上の単量体（このうち少なくとも１つは親水性単量体）からなるブロック共重合体、あるいはランダム共重合体、グラフト共重合体、またはこれらの塩等が挙げられる。あるいは、ロジン、ジェラック、デンプン等の天然樹脂も好ましく使用することができる。これらの樹脂は、塩基を溶解させた水溶液に可溶であり、アルカリ可溶型樹脂である。なお、これらの顔料分散剤として用いられる水溶性樹脂は、インク全重量に対して０．１〜５重量％の範囲で含有させるのが好ましい。
【００７９】
特に、上記したような顔料が含有されているインクの場合には、インク全体が中性またはアルカリ性に調整されていることが好ましい。このようなものとすれば、顔料分散剤として使用される水溶性樹脂の溶解性を向上させ、長期保存性に一層優れたインクとすることができるので好ましい。ただし、この場合、インクジェット記録装置に使われている種々の部材の腐蝕の原因となる場合があるので、好ましくは、７〜１０のｐＨ範囲とするのが望ましい。
【００８０】
この際に使用されるｐＨ調整剤としては、例えば、ジエタノールアミン、トリエタノールアミン等の各種有機アミン、水酸化ナトリウム、水酸化リチウム、水酸化カリウム等のアルカリ金属の水酸物等の無機アルカリ剤、有機酸や鉱酸等が挙げられる。上記したような顔料および分散剤である水溶性樹脂は、水性液媒体中に分散または溶解される。
【００８１】
これらの染料、顔料はインク中に１〜１０重量％、好ましくは１〜５重量％の範囲で用いる。
【００８２】
【実施例】
以下、図面を参照して本発明の実施例を詳細に説明する。
【００８３】
図１は、本発明に適用可能なインクジェット記録装置の斜視図である。記録装置１００の給紙位置に挿入された記録媒体１０６は、送りローラ１０９によって記録ヘッドユニット１０３の記録可能領域へ搬送される。記録可能領域における記録媒体の下部には、プラテン１０８が設けられる。キャリッジ１０１は、ガイド軸ａ１０４とガイド軸ｂ１０５の２つのガイド軸によって定められた方向に移動可能な構成となっており、記録領域を往復走査する。キャリッジ１０１には、複数の色インクと処理液を吐出する記録ヘッドと、それぞれの記録ヘッドにインクや処理液を供給するインクタンクを含む記録ヘッドユニット１０３が搭載されている。この例のインクジェット記録装置に設けられる複数の色のインクは、ブラック（Ｂｋ），シアン（Ｃ），マゼンタ（Ｍ），イエロー（Ｙ）の４色である。
【００８４】
キャリッジが移動可能な領域の左端には、下部に回復系ユニット１１０があり、非記録時に記録ヘッドの吐出口部をキャップしたりする。この左端を記録ヘッドのホームポジションと呼ぶ。
【００８５】
１０７はスイッチ部と表示素子部であり、スイッチ部は記録装置の電源のオン／オフや各種記録モードの設定時等に使用され、スイッチ部は記録装置の状態を表示する役割をする。
【００８６】
インクジェットユニット１０３は、インクおよびプリント性向上液としての処理液を吐出するためのヘッドおよびこれに供給されるインクまたは処理液を収納する容器としてのインクタンクからなる。すなわち、ブラック（Ｂｋ）、シアン（Ｃ），マゼンタ（Ｍ）およびイエロー（Ｙ）の４色の各インクおよび上記処理液をそれぞれ吐出する５個のヘッドおよびこれらのそれぞれに対応して設けられるタンクがインクジェットユニット１０３としてキャリッジ１０１上に搭載される。各ヘッドとタンクとは相互に着脱可能なものであり、タンク内のインクまたは処理液が無くなった場合等、必要に応じて個々のインク色等毎にタンクのみを交換できるよう設けられている。また、ヘッドのみを必要に応じて交換できることは勿論である。なお、ヘッドおよびタンクの着脱の構成は、上記の例に限られず、ヘッドとタンクが一体に成形された構成としてもよいことは勿論である。
【００８７】
また、処理液に関するプリント性の向上とは、その一例が後述されるように、濃度，彩度，エッジ部分のシャープネス度合，ドット径等の画質を向上させること、インクの定着性を向上させること、耐水性，耐光性等の耐候性すなわち画像保存性を向上させることを含むものである。
【００８８】
図２は、図１で説明したインクジェットユニット１０３を示す概略斜視図である。この構成は、上述のようにブラック，シアン，マゼンタ，イエローの各色インクおよび処理液のタンクが独立に交換可能な構成を示す。
【００８９】
すなわち、キャリッジ１０１には各ヘッドを個々に着脱可能に装着するためのヘッドケース１０２と、Ｂｋ用タンク２０Ｋ、Ｃ用タンク２０Ｃ、Ｍ用タンク２０Ｍ、Ｙ用タンク２０Ｙ、および処理液のタンク２０Ｓが搭載される。ヘッドケース１０２にはＢｋ，Ｃ，Ｍ，Ｙのインクをそれぞれ吐出するためのヘッド（不図示）と、処理液を吐出するためのヘッド（不図示）とが装着される。各タンクは接続部を介してヘッドと接続し、インクまたは処理液を供給する。
【００９０】
なお、タンクの構成としては、その使用量に応じて、例えば、処理液とＢｋのタンクが一体構造であっても良く、また、ＣとＭとＹのタンクが一体構造であっても良い。
【００９１】
図３は、記録ヘッドの発熱体付近の拡大断面図である。図中、３０は記録ヘッドであり、Ｂｋ，Ｃ，Ｍ，Ｙのインクをそれぞれ吐出するためのヘッド３０Ｋ，３０Ｃ，３０Ｍ，３０Ｙ、処理液を吐出するためのヘッド３０Ｓのいずれかである。この例のインクジェット記録装置は、各インク吐出口に対応して電気・熱変換体である発熱体を配置し、記録情報に対応する駆動信号を発熱体に印加してノズルからインクを吐出させる記録方式を採用するものである。発熱体３１は、全てのノズルに対してそれぞれ独立に発熱可能な構成となっている。
【００９２】
発熱体３１の発熱により急速に加熱されたノズル内のインクは膜沸騰により気泡を形成し、この気泡生成の圧力により図３に示すようにインク滴３５が記録媒体１０６に向かって吐出され、記録媒体上に文字や画像を形成する。この時、吐出される各色のインク滴の体積は１５〜８０ｎｇである。
【００９３】
吐出口３７の各々には、吐出口に連通するインク液路が設けられており、インク液路が配設される部位の後方にはこれら液路にインクを供給するための共通液室３２が設けられる。吐出口の各々に対応するインク液路には、これら吐出口からインク滴を吐出するために利用される熱エネルギーを発生する電気・熱変換体である発熱体３１やこれに電力を供給するための電極配線が設けられている。これら、発熱体３１や電極配線は、シリコン等からなる基板３３上に成膜技術によって形成される。発熱体３１の上にはインクと発熱体が直接接触しないように保護膜３６が形成されている。さらに、この基板上に樹脂やガラス材よりなる隔壁３４を積層することによって上記吐出口、インク液路、共通液室等が構成される。
【００９４】
このように、電気・熱変換体である発熱体を使用した記録方式は、インク滴吐出時に熱エネルギー印加により形成される気泡を使用しているため、通称バブルジェット記録方式と呼ばれている。
【００９５】
（実施例１）
下記成分を混合し、十分攪拌した後、孔径０．２２μｍのフロロポアフィルタ（住友電気工業（株）製：商品名）で加圧ろ過し、各インクを得た。使用したインクと処理液の組成は以下の通りである。
【００９６】
なお、本実施例では、Ｃインクは処理液を付与せず、Ｂｋ，Ｍ，Ｙインクは処理液を付与するインクである場合を説明するが、他の色が処理液を付与しない色であっても問題ない。
【００９７】
Ｙインク
グリセリン                                      ５．０重量部
チオジグリコール                                ５．０重量部
尿素                                            ５．０重量部
イソプロピルアルコール                          ４．０重量部
染料Ｃ．Ｉ．ダイレクトイエロー１４２            ２．０重量部
水                                            ７９．０重量部
Ｍインク
グリセリン                                      ５．０重量部
チオジグリコール                                ５．０重量部
尿素                                            ５．０重量部
イソプロピルアルコール                          ４．０重量部
染料Ｃ．Ｉ．アシッドレッド２８９                ２．５重量部
水                                            ７８．５重量部
Ｃインク
グリセリン                                      ５．０重量部
チオジグリコール                                ５．０重量部
尿素                                            ５．０重量部
イソプロピルアルコール                          ４．０重量部
例示化合物３                                    ３．０重量部
下記化合物５                                    １．０重量部
水                                            ７７．０重量部
Ｂｋインク
グリセリン                                      ５．０重量部
チオジグリコール                                ５．０重量部
尿素                                            ５．０重量部
イソプロピルアルコール                          ４．０重量部
染料フードブラック２                            ３．０重量部
水                                            ７８．０重量部
処理液Ａ
ポリアリルアミン塩酸塩                          ５．０重量部
塩化ベンザルコニウム                            １．０重量部
（カチオンＧ５０、三洋化成製）
ジエチレングリコール                          １０．０重量部
水                                            ８３．５重量部
処理液Ｂ
ポリエチレンイミン塩酸塩                        ５．０重量部
（エポミン  ＳＰ−０１２、日本触媒製）
セチルトリメチルアンモニウムクロライド          １．０重量部
（レボンＴＭ−１６、三洋化成製）
ジエチレングリコール                          １０．０重量部
水                                            ８３．５重量部
処理液Ｃ
ポリアリルアミン塩酸塩                          ５．０重量部
ジエチレングリコール                          １０．０重量部
水                                            ８４．５重量部
図４（Ａ）に本実施例で使用したカラーヘッドユニットを示す。ユニットの構成は、Ｓ（処理液）チップ２３０１と、Ｂｋチップ２３０２と、Ｃチップ２３０３と、Ｍチップ２３０４と、Ｙチップ２３０５を、フレーム２３０６に固定した構成である。各チップの間隔は１／２インチで主走査方向である矢印Ｘの方向に等間隔に配置されている。各チップのノズル数はそれぞれ６４個であり、各チップのノズル列は矢印Ｘ方向に対しほぼ直交するように配置されている。
【００９８】
各ノズルのピッチは約７０μｍであり、３６０ｄｐｉの解像度で一度の主走査で６４ノズル分のバンドを記録できる。
【００９９】
さらに、ＳチップとＣチップは、副走査方向であるＹ方向に、記録バンド幅の分だけ記録位置で先行する側に配置されている。
【０１００】
Ｂｋチップのノズル列の各ノズルからは約８０ｐｌのインクが吐出され、また、ＹＭＣＳ各チップのノズル列の各ノズルからは約４０ｐｌのインクが吐出される。
【０１０１】
このような構成の記録ヘッドを用いて、主走査方向であるＸ方向に対し往路も帰路も処理液を伴う記録動作する往復記録動作の様子を図５によって説明する。
【０１０２】
ＳＴＥＰ１：まず、往路方向で６４ノズル分の記録幅でバンド１を、ＳチップとＣチップとによって記録する。その後、記録幅の分だけ副走査方向に相対的に記録媒体を移動する。ここで、Ｓ記録データは、やがてバンド１に記録されるべき、Ｙ，Ｍ，Ｂｋデータに基づき、Ｙ，Ｍ，Ｂｋデータの論理和データを作成してＳデータを先行して記録する。この工程により、記録媒体に、Ｙ，Ｍ，Ｂｋを記録する領域に先行してＳを記録する。記録動作後、記録バンド幅の分だけ副走査方向に記録媒体を移動する。
【０１０３】
ＳＴＥＰ２：帰路方向でバンド２を、ＳチップとＣチップとによって記録する。ここで、Ｓ記録データは、やがてバンド２に記録されるべき、Ｙ，Ｍ，Ｂｋデータに基づき、Ｙ，Ｍ，Ｂｋデータの論理和データを作成してＳデータとして先行して記録する。同時に、バンド１を、ＹチップとＭチップとＢｋチップとによって記録する。Ｙ，Ｍ，Ｂｋデータを記録する領域には、すでにＳＴＥＰ１でＳが記録されている。記録動作後、記録バンド幅の分だけ副走査方向に記録媒体を移動する。
【０１０４】
ＳＴＥＰ３：往路方向でバンド３を、ＳチップとＣチップとによって記録する。ここで、Ｓ記録データは、やがてバンド３に記録されるべき、Ｙ，Ｍ，Ｂｋデータに基づき、Ｙ，Ｍ，Ｂｋデータの論理和データを作成してＳデータとして先行して記録する。同時に、バンド２を、ＹチップとＭチップとＢｋチップとによって記録する。Ｙ，Ｍ，Ｂｋデータを記録する領域には、すでにＳＴＥＰ２でＳが記録されている。記録動作後、記録バンド幅の分だけ副走査方向に記録媒体を移動する。
【０１０５】
以下、同様に記録動作を繰り返すことでＹＭＢｋ記録領域に必ず先行して処理液が付着（記録）されることになる。
【０１０６】
この処理液が記録されることにより、耐水性のある高信頼性の、また、フェザリングが少なくまた記録濃度の高く、異色境界にじみのない高品位の記録画像が得られた。
【０１０７】
Ｓが付与されないＣ記録領域については、Ｃインクの特性から高信頼性で、フェザリングと記録濃度の点でも実用上問題の無い高品位なレベルである。
【０１０８】
処理液をＡ，Ｂ，Ｃと変化させたところ、処理液Ａを使用した場合が最もフェザリングが少なくまた記録濃の高く、異色境界にじみのない高品位の記録画像が得られた。
【０１０９】
処理液Ｂの場合は印字品位が処理液Ａの場合より若干見劣りはするが、実用上の問題はないレベルであった。
【０１１０】
処理液Ｃの場合は異色境界にじみが処理液Ａの場合より若干見劣りはするが、実用上の問題はないレベルであった。
【０１１１】
（実施例２）
図４（Ｂ）に本実施例で使用したカラーヘッドユニットを示す。ユニットの構成は、Ｓ（処理液）チップ２２０１と、Ｂｋチップ２２０２と、Ｃチップ２２０３と、Ｍチップ２２０４と、Ｙチップ２２０５を、フレーム２２０６に固定した構成である。各チップの間隔は１／２インチで主走査方向である矢印Ｘの方向に等間隔に配置されている。各チップのノズル数はそれぞれ１２８個であり、各チップのノズル列は矢印Ｘ方向に対しほぼ直交するように配置されている。
【０１１２】
各ノズルのピッチは約７０μｍであり、３６０ｄｐｉの解像度で一度の主走査で１２８ノズル分のバンドを記録できる。
【０１１３】
Ｂｋチップのノズル列の各ノズルからは約８０ｐｌのインクが吐出され、また、ＹＭＣＳ各チップのノズル列の各ノズルからは約４０ｐｌのインクが吐出される。
【０１１４】
ここで、処理液を伴う記録を行うときは、Ｓ，Ｃヘッドはノズルの下側６４ノズルを使用し、Ｂｋ，Ｙ，Ｍヘッドはノズルの上側６４ノズルを使用し、記録バンド幅を６４ノズルとすることで、Ｓ，ＣヘッドはＢｋ，Ｙ，Ｍヘッドに先行して記録を行う。
【０１１５】
このような構成の記録ヘッドを用いて、主走査方向であるＸ方向に対し往路も帰路も記録動作する往復記録動作の様子を図６によって説明する。
【０１１６】
ＳＴＥＰ１：まず、往路方向で６４ノズル分の記録幅でバンド１を、ＳチップとＣチップとによって記録する。その後、記録幅の分だけ副走査方向に相対的に記録媒体を移動する。ここで、Ｓ記録データは、やがてバンド１に記録されるべき、Ｙ，Ｍ，Ｂｋデータに基づき、Ｙ，Ｍ，Ｂｋデータの論理和データを作成してＳデータを先行して記録する。この工程により、記録媒体に、Ｙ，Ｍ，Ｂｋを記録する領域に先行してＳを記録する。記録動作後、記録バンド幅の分だけ副走査方向に記録媒体を移動する。
【０１１７】
ＳＴＥＰ２：帰路方向でバンド２を、ＳチップとＣチップとによって記録する。ここで、Ｓ記録データは、やがてバンド２に記録されるべき、Ｙ，Ｍ，Ｂｋデータに基づき、Ｙ，Ｍ，Ｂｋデータの論理和データを作成してＳデータとして先行して記録する。同時に、バンド１を、ＹチップとＭチップとＢｋチップとによって記録する。Ｙ，Ｍ，Ｂｋデータを記録する領域には、すでにＳＴＥＰ１でＳが記録されている。記録動作後、記録バンド幅の分だけ副走査方向に記録媒体を移動する。
【０１１８】
ＳＴＥＰ３：往路方向でバンド３を、ＳチップとＣチップとによって記録する。ここで、Ｓ記録データは、やがてバンド３に記録されるべき、Ｙ，Ｍ，Ｂｋデータに基づき、Ｙ，Ｍ，Ｂｋデータの論理和データを作成してＳデータとして先行して記録する。同時に、バンド２を、ＹチップとＭチップとＢｋチップとによって記録する。Ｙ，Ｍ，Ｂｋデータを記録する領域には、すでにＳＴＥＰ２でＳが記録されている。記録動作後、記録バンド幅の分だけ副走査方向に記録媒体を移動する。
【０１１９】
以下、同様に記録動作を繰り返すことでＹＭＢｋ記録領域に必ず先行して処理液が付着（記録）されることになる。
【０１２０】
この処理液が記録されることにより、耐水性のある高信頼性の、また、フェザリングが少なくまた記録濃度の高い高品位の記録画像が得られた。
【０１２１】
Ｓが付与されないＣ記録領域については、Ｃインクの特性から高信頼性で、フェザリングと記録濃度の点でも実用上問題の無い高品位なレベルである。
【０１２２】
処理液をＡ，Ｂ，Ｃと変化させたところ、処理液Ａを使用した場合が最もフェザリングが少なくまた記録濃度の高く、異色境界にじみのない高品位の記録画像が得られた。
【０１２３】
処理液Ｂの場合は印字品位が処理液Ａの場合より若干見劣りはするが、実用上の問題はないレベルであった。
【０１２４】
処理液Ｃの場合は異色境界にじみが処理液Ａの場合より若干見劣りはするが、実用上の問題はないレベルであった。
【０１２５】
さらに、処理液を伴わなくても十分な耐水性と印字品位を記録できる特殊紙を使用する場合には、ＢｋＣＭＹの４色のヘッドの１２８ノズルすべてを使用することによって、さらに高速な記録が可能となる。
【０１２６】
（実施例３）
図４（Ｃ）に本実施例で使用したカラーヘッドユニットを示す。ユニットの構成は、Ｓ（処理液）チップ２１０１と、Ｂｋチップ２１０２と、一体構造のＣＭＹチップ２１０３とを、フレーム２１０４に固定した構成である。各チップの間隔は１／２インチで主走査方向である矢印Ｘの方向に等間隔に配置されている。各チップのノズル数はＳ，Ｂｋがそれぞれ１６０個であり、Ｙ，Ｍ，Ｃはそれぞれ４８個である。また、ＹとＭ、ＭとＣとの間には８ノズル分の色間分離部があり、それぞれの色間の分離をしている。各チップのノズル列は矢印Ｘ方向に対しほぼ直交するように配置されている。
【０１２７】
各ノズルのピッチは約７０μｍであり、３６０ｄｐｉの解像度で一度の主走査で記録できる。
【０１２８】
ここで、説明を簡略化するため、Ｓ，Ｂｋのノズル数は１４４個、ＹＭＣＳのノズル数は各４８個で、色間分離部が無い場合を仮定する。
【０１２９】
Ｂｋチップのノズル列の各ノズルからは約８０ｐｌのインクが吐出され、また、ＹＭＣＳ各チップのノズル列の各ノズルからは約４０ｐｌのインクが吐出される。
【０１３０】
図７は、この実施例での記録過程を示す図である。
【０１３１】
ＳＴＥＰ１：まず、往路方向で４８ノズル分の記録幅でバンド１を、Ｓチップは先端（図では下）側から４８ノズルを使用して、またＣはＣ部全域の４８ノズルで記録する。その後、記録幅の分である４８ノズル分だけ副走査方向に相対的に記録媒体を移動する。ここで、Ｓ記録データは、やがてバンド１に記録されるべき、Ｙ，Ｍ，Ｂｋデータに基づき、Ｙ，Ｍ，Ｂｋデータの論理和データを作成してＳデータを先行して記録する。この工程により、記録媒体に、Ｙ，Ｍ，Ｂｋを記録する領域に先行してＳを記録する。記録動作後、記録バンド幅の分だけ副走査方向に記録媒体を移動する。
【０１３２】
ＳＴＥＰ２：帰路方向でバンド２を、ＳチップとＣチップとによって記録する。ここで、Ｓ記録データは、やがてバンド２に記録されるべき、Ｙ，Ｍ，Ｂｋデータに基づき、Ｙ，Ｍ，Ｂｋデータの論理和データを作成してＳデータとして先行して記録する。同時に、バンド１を、ＭチップとＢｋチップ（Ｂｋは中側４８ノズルを使用）とによって記録する。Ｍ，Ｂｋデータを記録する領域には、すでにＳＴＥＰ１がＳで記録されている。記録動作後、記録バンド幅の分だけ副走査方向に記録媒体を移動する。
【０１３３】
ＳＴＥＰ３：往路方向でバンド３を、ＳチップとＣチップとによって記録する。ここで、Ｓ記録データは、やがてバンド３に記録されるべき、Ｙ，Ｍ，Ｂｋデータに基づき、Ｙ，Ｍ，Ｂｋデータの論理和データを作成してＳデータとして先行して記録する。同時に、バンド２を、ＭチップとＢｋチップとによって記録する。Ｍ，Ｂｋデータを記録する領域には、すでにＳＴＥＰ２でＳが記録されている。同時に、バンド１を、Ｙチップによって記録する。バンド２でＭ，Ｂｋデータが記録する領域とバンド１でＹデータを記録する領域には、すでにＳＴＥＰ１，ＳＴＥＰ２でＳが記録されている。記録動作後、記録バンド幅の分だけ副走査方向に記録媒体を移動する。
【０１３４】
以下、同様に記録動作を繰り返すことでＹＭＢｋ記録領域に必ず先行してＳ（処理液）が付着（記録）されることになる。
【０１３５】
このＳが記録されることにより、耐水性のある高信頼性の、また、フェザリングが少なくまた記録濃度の高い高品位の記録画像が得られた。
【０１３６】
Ｓが付与されないＣ記録領域については、Ｃインクの特性から高信頼性で、フェザリングと記録濃度の点でも実用上問題の無い高品位なレベルである。
【０１３７】
処理液Ａ，Ｂ，Ｃと変化させたところ、処理液Ａを使用した場合が最もフェザリングが少なくまた記録濃度の高く、異色境界にじみのない高品位の記録画像が得られた。
【０１３８】
処理液Ｂの場合は印字品位が処理液Ａの場合より若干見劣りはするが、実用上の問題はないレベルであった。
【０１３９】
処理液Ｃの場合は異色境界にじみが処理液Ａの場合より若干見劣りはするが、実用上の問題はないレベルであった。
【０１４０】
図８は、実施例のインクジェットプリント装置の制御構成を示すブロック図である。ホストコンピュータから、プリントすべき文字や画像のデータ（以下画像データという）がインクジェットプリント装置１００の受信バッファ４０１に入力される。また、正しくデータが転送されているかを確認するデータや、プリント装置の動作状態を知らせるデータがプリント装置からホストコンピュータに転送される。受信バッファ４０１に入力したデータはＣＰＵを有する制御部４０２の管理のもとで、ＲＡＭ形態のメモリ部４０３に転送され一次的に格納される。メカコントロール部４０４は、制御部４０２からの指令により、キャリッジ１０１（図１参照）や送りローラ１０９（図１参照）の動力源となるキャリッジモータやラインフィードモータ等のメカ部４０５を駆動する。センサ／ＳＷコントロール部４０６は、各種センサやＳＷ（スイッチ）からなるセンサ／ＳＷ部４０７からの信号を制御部４０２に送る。表示素子コントロール部４０８は、制御部４０２からの指令により表示パネル群のＬＥＤや液晶表示素子等からなる表示素子部４０９の表示を制御する。ヘッドコントロール部４１０は制御部４０２からの指令により各ヘッド３０Ｋ，３０Ｃ，３０Ｍ，３０Ｙ，３０Ｓを個々に制御する。また、これら各ヘッドの状態を示す温度情報等を読取り制御部４０２に伝える。
【０１４１】
制御部４０２には、図９，図１０にて後述される画像処理を行う画像処理部４１１が構成されている。
【０１４２】
（その他）
なお、本発明は、図３に示したように、特にインクジェットプリント方式の中でも、インク吐出を行わせるために利用されるエネルギとして熱エネルギを発生する手段（例えば電気熱変換体やレーザ光等）を備え、前記熱エネルギによりインクの状態変化を生起させる方式のインクジェットヘッド、プリント装置において優れた効果をもたらすものである。かかる方式によればプリントの高密度化，高精細化が達成できるからである。
【０１４３】
その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、プリント情報に対応していて核沸騰を越える急速な温度上昇を与える少なくとも１つの駆動信号を印加することによって、電気熱変換体に熱エネルギを発生せしめ、インクジェットヘッドの熱作用面に膜沸騰を生じさせて、結果的にこの駆動信号に一対一で対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れたプリントを行うことができる。
【０１４４】
インクジェットヘッドの構成としては、上述の各明細書に開示されているような吐出口，液路，電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、インクジェットヘッドの形態がどのようなものであっても、本発明によればプリントを確実に効率よく行うことができるようになるからである。
【０１４５】
さらに、プリント装置がプリントできる被プリント材の最大幅に対応した長さを有するフルラインタイプのインクジェットヘッドに対しても本発明は有効に適用できる。そのようなインクジェットヘッドとしては、複数インクジェットヘッドの組合せによってその長さを満たす構成や、一体的に形成された１個のインクジェットヘッドとしての構成のいずれでもよい。
【０１４６】
加えて、上例のようなシリアルタイプのものでも、装置本体に固定されたインクジェットヘッド、あるいは装置本体に装着されることで装置本体との電気的な接続や装置本体からのインクの供給が可能になる交換自在のチップタイプのインクジェットヘッド、あるいはインクジェットヘッド自体に一体的にインクタンクが設けられたカートリッジタイプのインクジェットヘッドを用いた場合にも本発明は有効である。
【０１４７】
また、本発明にプリント装置の構成として設けられる、インクジェットヘッドに対しての回復手段、予備的な補助手段等を付加することは本発明の効果を一層安定できるので、好ましいものである。これらを具体的に挙げれば、インクジェットヘッドに対してのキャッピング手段、クリーニング手段、加圧或は吸引手段、電気熱変換体或はこれとは別の加熱素子或はこれらの組み合わせによる予備加熱手段、プリントとは別の吐出を行なう予備吐出モードを行なうことも安定したプリントを行なうために有効である。
【０１４８】
また、搭載されるインクジェットヘッドの種類ないし個数についても、例えば単色のインクに対応して１個のみが設けられたものの他、プリント色や濃度を異にする複数のインクに対応して複数個数設けられるものであってもよい。すなわち、例えばプリント装置のプリントモードとしては黒色等の主流色のみのプリントモードだけではなく、インクジェットヘッドを一体的に構成するか複数個の組み合わせによるかいずれでもよいが、異なる色の複色カラー、または混色によるフルカラーの少なくとも一つを備えた装置にも本発明は極めて有効である。
【０１４９】
さらに加えて、以上説明した本発明実施例においては、インクを液体として説明しているが、室温やそれ以下で固化するインクであって、室温で軟化もしくは液化するもの、あるいはインクジェット方式ではインク自体を３０℃以上７０℃以下の範囲内で温度調整を行ってインクの粘性を安定吐出範囲にあるように温度制御するものが一般的であるから、使用プリント信号付与時にインクが液状をなすものであればよい。加えて、積極的に熱エネルギによる昇温をインクの固形状態から液体状態への状態変化のエネルギとして使用せしめることで防止するか、またはインクの蒸発防止を目的として放置状態で固化するインクを用いるかして、いずれにしても熱エネルギのプリント信号に応じた付与によってインクが液化し、液状インクが吐出されるものや、被プリント材に到達する時点ではすでに固化し始めるもの等のような、熱エネルギによって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【０１５０】
さらに加えて、本発明の液体噴射インクジェットヘッドを使用するプリント機構を備えたプリント装置の形態としては、コンピュータ等の情報処理機器の画像出力端末として用いられるものの他、リーダ等と組合せた複写装置、さらには送受信機能を有するファクシミリ装置の形態を採るもの等であってもよい。
【０１５１】
図９は本発明のプリント装置をワードプロセッサ、パーソナルコンピュータ、ファクシミリ装置、複写装置としての機能を有する情報処理装置に適用した場合の概略構成を示すブロック図である。
【０１５２】
図中、１８０１は装置全体の制御を行なう制御部で、マイクロプロセッサ等のＣＰＵや各種Ｉ／Ｏポートを備え、各部に制御信号やデータ信号等を出力したり、各部よりの制御信号やデータ信号を入力して制御を行なっている。１８０２はディスプレイ部で、この表示画面には各種メニューや文書情報およびイメージリーダ１８０７で読み取ったイメージデータ等が表示される。１８０３はディスプレイ部１８０２上に設けられた透明な感圧式のタッチパネルで、指等によりその表面を押圧することにより、ディスプレイ部１８０２上での項目入力や座標位置入力等を行なうことができる。
【０１５３】
１８０４はＦＭ（Ｆｒｅｑｕｅｎｃｙ  Ｍｏｄｕｌａｔｉｏｎ）音源部で、音楽エディタ等で作成された音楽情報をメモリ部１８１０や外部記憶装置１８１２にデジタルデータとして記憶しておき、それらメモリ等から読み出してＦＭ変調を行なうものである。ＦＭ音源部１８０４からの電気信号はスピーカ部１８０５により可聴音に変換される。プリンタ部１８０６はワードプロセッサ、パーソナルコンピュータ、ファクシミリ装置、複写装置の出力端末として、本発明プリント装置が適用されたものである。
【０１５４】
１８０７は原稿データを光電的に読取って入力するイメージリーダ部で、原稿の搬送経路途中に設けられており、ファクシミリ原稿や複写原稿の他各種原稿の読取りを行なう。
【０１５５】
１８０８はイメージリーダ部１８０７で読取った原稿データのファクシミリ送信や、送られてきたファクシミリ信号を受信して復号するファクシミリ（ＦＡＸ）の送受信部であり、外部とのインターフェース機能を有する。１８０９は通常の電話機能や留守番電話機能等の各種電話機能を有する電話部である。
【０１５６】
１８１０はシステムプログラムやマネージャプログラムおよびその他のアプリケーションプログラム等や文字フォントおよび辞書等を記憶するＲＯＭや、外部記憶装置１８１２からロードされたアプリケーションプログラムや文書情報さらにはビデオＲＡＭ等を含むメモリ部である。
【０１５７】
１８１１は文書情報や各種コマンド等を入力するキーボード部である。
【０１５８】
フロッピィディスクやハードディスク等を記憶媒体とする外部記憶装置で、この外部記憶装置１８１２には文書情報や音楽或は音声情報、ユーザのアプリケーションプログラム等が格納される。
【０１５９】
図１０は図９に示す情報処理装置の模式的外観図である。
【０１６０】
図中、１９０１は液晶等を利用したフラットパネルディスプレイで、各種メニューや図形情報および文書情報等を表示する。このディスプレイ１９０１上にはタッチパネル１８０３の表面を指等で押圧することにより座標入力や項目指定入力を行なうことができる。１９０２は装置が電話器として機能するときに使用されるハンドセットである。キーボード１９０３は本体と脱着可能にコードを介して接続されており、各種文書情報や各種データ入力を行なうことができる。また、このキーボード１９０３には各種機能キー１９０４等が設けられている。１９０５は外部記憶装置１８１２へのフロッピーディスクの挿入口である。
【０１６１】
１９０６はイメージリーダ部１８０７で読取られる原稿を戴置する用紙戴置部で、読取られた原稿は装置後部より排出される。またファクシミリ受信等においては、インクジェットプリンタ１９０７よりプリントされる。
【０１６２】
なお、上記でディスプレイ部１８０２はＣＲＴでもよいが、強誘電性液晶を利用した液晶ディスプレイ等のフラットパネルが望ましい。小型、薄型化に加え軽量化が図れるからである。
【０１６３】
上記情報処理装置をパーソナルコンピュータやワードプロセッサとして機能する場合、キーボード部１８１１から入力された各種情報が制御部１８０１により所定のプログラムに従って処理され、プリンタ部１８０６に画像として出力される。
【０１６４】
ファクシミリ装置の受信機として機能する場合、通信回線を介してＦＡＸ送受信部１８０８から入力したファクシミリ情報が制御部１８０１により所定のプログラムに従って受信処理され、プリンタ部１８０６に受信画像として出力される。
【０１６５】
また、複写装置として機能する場合、イメージリーダ部１８０７によって原稿を読取り、読取られた原稿データが制御部１８０１を介してプリンタ部１８０６に複写画像として出力される。なお、ファクシミリ装置の受信機として機能する場合、イメージリーダ部１８０７によって読取られた原稿データは、制御部１８０１により所定のプログラムに従って送信処理された後、ＦＡＸ送受信部１８０８を介して通信回線に送信される。
【０１６６】
なお、上述した情報処理装置は図１１に示すようにインクジェットプリンタを本体に内蔵した一体型としてもよく、この場合は、よりポータブル性を高めることが可能となる。同図において、図１０と同一機能を有する部分には、対応する符号を付す。
【０１６７】
以上説明した多機能型情報処理装置に本発明のプリント装置を適用することによって、高品位のプリント画像を高速かつ低騒音で得ることができるため、上記情報処理装置の機能をさらに向上させることが可能となる。
【０１６８】
【発明の効果】
本発明によれば、印字速度が速く、耐水性、発色性に優れ、色間にじみのない画像を得ることが可能となる。
【図面の簡単な説明】
【図１】本発明に適用したインクジェット記録装置の概略斜視図である。
【図２】本発明に適用したインクジェットヘッドの概略斜視図である。
【図３】本発明に適用したインクジェットヘッドの拡大断面図である。
【図４】本発明に適用したインクジェットヘッドユニットの模式的上面図であり、（Ａ）は実施例１で使用したインクジェットヘッドユニット、（Ｂ）は実施例２で使用したインクジェットヘッドユニット、（Ｃ）は実施例３で使用したインクジェットヘッドユニットをそれぞれ示す。
【図５】図４（Ａ）のヘッドの往復記録動作の様子を説明する説明図である。
【図６】図４（Ｂ）のヘッドの往復記録動作の様子を説明する説明図である。
【図７】図４（Ｃ）のヘッドの往復記録動作の様子を説明する説明図である。
【図８】実施例のインクジェットプリント装置の制御構成を示すブロック図である。
【図９】本発明のインクジェットプリント装置を用いた情報処理システムの一例を示すブロック図である。
【図１０】本発明のインクジェットプリント装置を用いた情報処理システムの外観斜視図である。
【図１１】本発明のインクジェットプリント装置を用いた情報処理システムの他の例を示す外観図である。
【符号の説明】
２０Ｋ，２０Ｃ，２０Ｍ，２０Ｙ  インクタンク
２０Ｓ  処理液タンク
３０  記録ヘッド
３０Ｋ，３０Ｃ，３０Ｍ，３０Ｙ，３０Ｓ  インクジェットヘッド
３１  発熱体
３２  共通液室
３３  基板
３４  隔壁
３５  インク滴
３６  保護膜
３７  吐出口
１００  記録装置
１０１  キャリッジ
１０２  ヘッドケース
１０３  記録ヘッドユニット
１０４  ガイド軸ａ
１０５  ガイド軸ｂ
１０６  被記録媒体
１０７  スイッチ部および表示部
１０８  プラテン
１０９  送りローラ
１１０  回復系ユニット
４０１  受信バッファ
４０２  制御部
４０３  メモリ部
４０４  メカコントロール部
４０５  メカ部
４０６  センサ／ＳＷコントロール部
４０７  センサ／ＳＷ部
４０８  表示素子コントロール部
４０９  表示素子部
４１０  ヘッドコントロール部
４１１  画像処理部
１８０１  制御部
１８０２  ディスプレイ部
１８０３  タッチパネル
１８０４  ＦＭ音源部
１８０５  スピーカ部
１８０６  プリンタ部
１８０７  イメージリーダ部
１８０８  送受信部
１８０９  電話部
１８１０  メモリ部
１８１１  キーボード部
１８１２  外部記憶装置
１９０１  フラットパネルディスプレイ
１９０２  ハンドセット
１９０３  キーボード
１９０４  機能キー
１９０５  フロッピーディスクの挿入口
１９０６  用紙戴置部
１９０７  インクジェットプリンタ
２１０１，２２０１，２３０１  処理液チップ
２１０２，２２０２，２３０２  ブラック（Ｂｋ）チップ
２１０３，２２０３，２３０３  シアン（Ｃ）チップ
２１０４，２２０４，２３０４  マゼンタ（Ｍ）チップ
２１０５，２２０５，２３０５  イエロー（Ｙ）チップ
２３０６  フレーム
【図１】
0003683928.tif 000006
【図２】
0003683928.tif 000007
【図３】
0003683928.tif 000008
【図４】
0003683928.tif 000009
【図５】
0003683928.tif 000010
【図６】
0003683928.tif 000011
【図７】
0003683928.tif 000012
【図８】
0003683928.tif 000013
【図９】
0003683928.tif 000014
【図１０】
0003683928.tif 000015
【図１１】
0003683928.tif 000016